(57)【要約】      （修正有）【課題】配送物に貼り付ける主表示部と、主表示部から分離し得る切離表示部と、切離表示部から分離し得る脱離表示部を備える貼付表示体を提供する。【解決手段】表側シート１２と裏側シート１４を、接着層で貼り合わせる。配送宛先シート部Ａ１の裏面全部、脱離表示部Ｂ１ａの裏面及びその周縁部を含む方形部分、保持シート部Ｃ１、引受控シート部Ｄ１、送主控えシート部Ｅ１の裏面全部に接着部を設ける。裏側シートの配送宛先シート部用接着部Ａ２、脱離表示部、保持シート部用接着部Ｃ２に対応する部分に離型部Ｒを形成する。裏側シートの方形部分とそれ以外の部分は切離線で切離する。裏側シートの配送宛先シート部に対応する部分と保持シート部に対応する部分は連結部で連結する。表側シートの脱離表示部と配送済シート部Ｂ１の他の部分との間は、切離線で切離する。配送宛先票、配送済票、保持部、引受控票、送主控票の間にそれぞれ切離可能線を設ける。【選択図】図２
2006062082.tif 000002
【特許請求の範囲】
【請求項１】
表側シートと裏側シートを有し、表側シートの裏側面と裏側シートの表側面が貼り合わされてなり、少なくとも主表示部と切離表示部を備える貼付表示体であって、
前記主表示部と切離表示部は隣接して又は他の部分を介して連結し、
前記表側シートは、少なくとも、前記主表示部を構成する主表示シート部と、前記切離表示部を構成する切離表示シート部を備え、前記切離表示シート部の一部に脱離表示部が形成され、
前記表側シートの裏側面のうち、前記主表示シート部の裏側面に、対象物に接着させるための主表示シート部用接着部を備えると共に、前記切離表示シート部の裏側面のうち、前記脱離表示部の裏側面を含む部分に、切離表示シート部用接着部が形成され、
前記裏側シートは、少なくとも前記主表示シート部用接着部に対応する部分及び前記切離表示シート部用接着部に対応する部分を備え、
前記裏側シートの表側面のうち、少なくとも前記主表示シート部用接着部に対応する部分及び前記脱離表示部に対応する部分に離型部が形成されており、
前記裏側シートのうち、前記主表示シート部用接着部に対応する部分は、前記切離表示シート部用接着部に対応する部分に対し、分離されているか又は分離可能であり、
前記表側シートのうち前記脱離表示部と切離表示シート部の他の部分との間には、切離線部又は切離可能線部を有し、
前記主表示シート部用接着部から前記裏側シートを剥離してその主表示シート部用接着部によって対象物に貼り付けた状態において前記主表示部又は主表示部を含む部分から前記切離表示部を切離することができる切離表示部切離可能線部を有することを特徴とする貼付表示体。
【請求項２】
上記切離表示シート部の裏側面のうち、脱離表示部の裏側面及び少なくともその脱離表示部の周縁部に、切離表示シート部用接着部が形成され、
上記裏側シートの表側面のうち、前記脱離表示部に対応する部分に離型部が形成され、少なくとも前記脱離表示部の周縁部に対応する部分には、切離表示シート部用接着部が接着する被接着部が形成されている請求項１記載の貼付表示体。
【請求項３】
上記切離表示シート部の裏側面のうち、脱離表示部の裏側面及び少なくともその脱離表示部の周縁部に、切離表示シート部用接着部が形成され、
上記裏側シートの表側面のうち、少なくとも前記切離表示シート部用接着部に対応する部分に離型部が形成されている請求項１記載の貼付表示体。
【請求項４】
上記切離表示部に連結した保持部を、前記切離表示部に対し上記主表示部が位置する側とは異なる側に備えており、
上記表側シートは、前記保持部を構成する保持シート部を備え、その保持シート部の裏面側に、対象物に接着させるための保持シート部用接着部を備え、
上記裏側シートの表側面のうち前記保持シート部用接着部に対応する部分に離型部が形成されており、
前記裏側シートのうち、前記保持シート部用接着部に対応する部分は、上記切離表示シート部用接着部に対応する部分に対し、分離されているか又は分離可能であり、
上記主表示シート部用接着部から前記裏側シートを剥離すると共に前記保持シート部用接着部から前記裏側シートを剥離してその主表示シート部用接着部及び保持シート部用接着部によって対象物に貼り付けた状態において前記保持部を前記切離表示部から切離することができる保持部切離可能線部を有する請求項１、２又は３記載の貼付表示体。
【請求項５】
上記裏側シートのうち上記主表示シート部用接着部に対応する部分と上記保持シート部用接着部に対応する部分が、前記裏側シートのうち少なくとも上記切離表示シート部の裏面側に対応する部分の一部である連結部を介して連結し、
前記切離表示シート部の裏面側のうち前記連結部に対応する部分には切離表示シート部用接着部が形成されておらず、
前記連結部は、前記裏側シートのうち前記切離表示シート部用接着部に対応する部分に対し、分離されているか又は分離可能であり、
前記裏側シートのうち前記主表示シート部用接着部に対応する部分と前記保持シート部用接着部に対応する部分が、前記連結部により連結されて上記表側シートから一連に剥離し得る請求項４記載の貼付表示体。
【発明の詳細な説明】
【技術分野】
【０００１】
本発明は、配送品等の物品に貼り付けて宛先等を表示すると共に、配送記録や配送完了通知等の別用途に用いるために一部を分離することができる貼付表示体に関する。
【背景技術】
【０００２】
特許第３５２９８１８号公報（特許文献１）には、第１の帳票片（２１ａ）および第２の帳票片（２１ｂ）を裁断可能に連接した基材（２１）と、前記基材の表面の所定領域に設けられ、共通情報を表示した共通情報表示部（２２ａ）、および個別情報が記録される個別情報記録部（２２ｂ）を有する第１の印刷層（２２）と、前記基材の裏面に設けられた第１の接着層（２６）と、前記基材の裏面に前記第１の接着層を介して密着する中間層（２３）と、前記中間層の前記基材と密着する面であって、前記第２の帳票片と対応する領域に含まれる領域に設けられ、共通情報またはに関する属性情報を形成した第２の印刷層（２９）と、前記中間層の前記基材と密着する面の反対の面に、全面または部分的に設けられた、第２の接着層（３０）と、前記第２の接着層と剥離可能に接着する剥離紙（２８）を設けた配送伝票が開示されている。
【０００３】
この配送伝票は、第１の印刷層の個別情報記録部に所定の個別情報が記録され、剥離紙が剥離されて配送品に貼付され、送り先にが届けられると、第２の帳票片は、受領者印や受領者サインを施して配送完了票として第１の帳票片から裁断され、配送者が持ち帰る。
【０００４】
しかしながら、配送者が持ち帰った配送完了票である第２の帳票片から、更に例えば送り主の住所・氏名が記載された配送完了通知宛名ラベル等を分離して配送完了通知用の葉書等に貼り付けることのできるような構成は示されていない。もし、このような配送完了通知宛名ラベルを第２の帳票片から剥離して葉書に貼り付けることのできる粘着ラベルに構成しようとすると、第２の帳票片に更に剥離紙層を設けなければならず、製造コストの増大は避けられない。
【特許文献１】特許第３５２９８１８号公報
【発明の開示】
【発明が解決しようとする課題】
【０００５】
本発明は、従来技術に存した上記のような課題に鑑み行われたものであって、その目的とするところは、表側シートと裏側シートからなる構造により、配送品に貼り付ける主表示部と、主表示部から分離し得る切離表示部と、切離表示部から分離し得る脱離表示部を備える貼付表示体を提供することにある。
【課題を解決するための手段】
【０００６】
上記目的を達成する本発明の貼付表示体は、
表側シートと裏側シートを有し、表側シートの裏側面と裏側シートの表側面が貼り合わされてなり、少なくとも主表示部と切離表示部を備える貼付表示体であって、
前記主表示部と切離表示部は隣接して又は他の部分を介して連結し、
前記表側シートは、少なくとも、前記主表示部を構成する主表示シート部と、前記切離表示部を構成する切離表示シート部を備え、前記切離表示シート部の一部に脱離表示部が形成され、
前記表側シートの裏側面のうち、前記主表示シート部の裏側面に、対象物に接着させるための主表示シート部用接着部を備えると共に、前記切離表示シート部の裏側面のうち、前記脱離表示部の裏側面を含む部分に、切離表示シート部用接着部が形成され、
前記裏側シートは、少なくとも前記主表示シート部用接着部に対応する部分及び前記切離表示シート部用接着部に対応する部分を備え、
前記裏側シートの表側面のうち、少なくとも前記主表示シート部用接着部に対応する部分及び前記脱離表示部に対応する部分に離型部が形成されており、
前記裏側シートのうち、前記主表示シート部用接着部に対応する部分は、前記切離表示シート部用接着部に対応する部分に対し、分離されているか又は分離可能であり、
前記表側シートのうち前記脱離表示部と切離表示シート部の他の部分（脱離表示部以外の部分）との間には、切離線部又は切離可能線部を有し、
前記主表示シート部用接着部から前記裏側シートを剥離してその主表示シート部用接着部によって対象物に貼り付けた状態において前記主表示部又は主表示部を含む部分から前記切離表示部を切離することができる切離表示部切離可能線部を有することを特徴とする。
【０００７】
裏側シートの主表示シート部用接着部に対応する部分は切離表示シート部用接着部に対応する部分に対し分離されているか又は分離可能であるから、裏側シートのうち主表示シート部用接着部に対応する部分をその主表示シート部用接着部から剥離させ、切離表示シート部用接着部に対応する部分から分離することにより、切離表示部が隣接して又は他の部分を介して連結した主表示部を、主表示シート部用接着部によって対象物に貼り付けることができる。この状態において、切離表示部を構成する切離表示シート部の裏側の切離表示シート部用接着部は、裏側シートが接着しているので、切離表示部が対象物に接着することが防がれる。
【０００８】
このように主表示シート部用接着部から裏側シートを剥離してその主表示シート部用接着部によって対象物に貼り付けた状態において、切離表示部切離可能線部の切離により、主表示部又は主表示部を含む部分から切離表示部を切離し得る。
【０００９】
切離表示シート部の裏側面のうち、脱離表示部の裏側面を含む部分に、切離表示シート部用接着部が形成され、裏側シートの表側面のうち、少なくとも切離表示シート部における脱離表示部に対応する部分（裏側シートの表側面のうち切離表示シート部に対応する部分の全面とすることもできる）に離型部が形成されており、表側シートのうち脱離表示部と切離表示シート部の他の部分との間には、切離線部又は切離可能線部を有する。そのため、切離表示シート部の裏側面のうち、脱離表示部を含む部分の裏側面に裏側シートの対応部分が接着保持され、そのように接着保持された裏側シートにおける離型部に接着した脱離表示部は、裏側シートから剥離させて切離表示部から分離させることができる。
【００１０】
剥離させた脱離表示部の裏側面には切離表示シート部用接着部の一部が形成されているので、その脱離表示部は、裏側面の切離表示シート部用接着部により配送済み連絡葉書等の対象物に接着させることができる。なお、切離表示シート部用接着部を切離表示シート部の裏側面のうち脱離表示部の裏側面のみに形成し、表側シートのうち脱離表示部と切離表示シート部の他の部分との間には、切離可能線部を有するものとすることもできる。
【００１１】
上記本発明の貼付表示体は、
上記切離表示シート部の裏側面のうち、脱離表示部の裏側面及び少なくともその脱離表示部の周縁部に、切離表示シート部用接着部が形成され、
上記裏側シートの表側面のうち、前記脱離表示部に対応する部分に離型部が形成され、少なくとも前記脱離表示部の周縁部に対応する部分には、切離表示シート部用接着部が接着する被接着部が形成されているものとすることができる。
【００１２】
この場合、切離表示シート部の裏側面のうち、脱離表示部の裏側面及び少なくともその脱離表示部の周縁部に、切離表示シート部用接着部が形成され、裏側シートの表側面のうち、切離表示シート部における脱離表示部に対応する部分に離型部が形成され、少なくとも脱離表示部の周縁部に対応する部分には、切離表示シート部用接着部が接着する被接着部が形成されており、表側シートのうち脱離表示部と切離表示シート部の他の部分との間には、切離線部又は切離可能線部を有する。そのため、切離表示シート部の裏側面のうち、脱離表示部の裏側面及び少なくともその脱離表示部の周縁部に裏側シートの対応部分が接着保持され、そのように接着保持された裏側シートにおける離型部に接着した脱離表示部は、裏側シートから剥離させて切離表示部から分離させることができる。
【００１３】
剥離させた脱離表示部の裏側面には切離表示シート部用接着部の一部が形成されているので、その脱離表示部は、裏側面の切離表示シート部用接着部により配送済み連絡葉書等の対象物に接着させることができる。
【００１４】
上記本発明の貼付表示体は、
上記切離表示シート部の裏側面のうち、脱離表示部の裏側面及び少なくともその脱離表示部の周縁部に、切離表示シート部用接着部が形成され、
上記裏側シートの表側面のうち、少なくとも前記切離表示シート部用接着部に対応する部分に離型部が形成されているものとすることができる。
【００１５】
この場合、切離表示シート部の裏側面のうち、脱離表示部の裏側面及び少なくともその脱離表示部の周縁部（切離表示シート部の裏側面全面とすることもできる）に、切離表示シート部用接着部が形成され、裏側シートの表側面のうち、少なくとも前記切離表示シート部用接着部に対応する部分（裏側シートの表側面のうち切離表示シート部に対応する部分の全面とすることもできる）に離型部が形成されており、表側シートのうち脱離表示部と切離表示シート部の他の部分との間には、切離線部又は切離可能線部を有する。そのため、切離表示シート部の裏側面のうち、脱離表示部の裏側面及び少なくともその脱離表示部の周縁部に裏側シートの対応部分が接着保持され、そのように接着保持された裏側シートにおける離型部に接着した脱離表示部は、裏側シートから剥離させて切離表示部から分離させることができる。
【００１６】
剥離させた脱離表示部の裏側面には切離表示シート部用接着部の一部が形成されているので、その脱離表示部は、裏側面の切離表示シート部用接着部により配送済み連絡葉書等の対象物に接着させることができる。
【００１７】
上記各発明の貼付表示体は、
上記切離表示部に連結した保持部を、前記切離表示部に対し上記主表示部が位置する側とは異なる側に備えており、
上記表側シートは、前記保持部を構成する保持シート部を備え、その保持シート部の裏面側に、対象物に接着させるための保持シート部用接着部を備え、
上記裏側シートの表側面のうち前記保持シート部用接着部に対応する部分に離型部が形成されており、
前記裏側シートのうち、前記保持シート部用接着部に対応する部分は、上記切離表示シート部用接着部に対応する部分に対し、分離されているか又は分離可能であり、
上記主表示シート部用接着部から前記裏側シートを剥離すると共に前記保持シート部用接着部から前記裏側シートを剥離してその主表示シート部用接着部及び保持シート部用接着部によって対象物に貼り付けた状態において前記保持部を前記切離表示部から切離することができる保持部切離可能線部を有するものとすることができる。
【００１８】
裏側シートのうち主表示シート部用接着部に対応する部分をその主表示シート部用接着部から剥離させ、切離表示シート部用接着部に対応する部分から分離すると共に、裏側シートの保持シート部用接着部に対応する部分は切離表示シート部用接着部に対応する部分に対し分離されているか又は分離可能であるから、裏側シートのうち保持シート部用接着部に対応する部分をその保持シート部用接着部から剥離させ、切離表示シート部用接着部に対応する部分から分離することにより、切離表示部が隣接して又は他の部分を介して連結した主表示部を、主表示シート部用接着部によって対象物に貼り付けると共に、保持部を保持シート部用接着部によって対象物に貼り付けることができる。
【００１９】
切離表示部に連結した保持部は、切離表示部に対し主表示部が位置する側とは異なる側に備えるので、主表示シート部用接着部によって対象物に貼り付けられた主表示部と、保持シート部用接着部によって対象物に貼り付けられた保持部の両者によって、切離表示部が対象物に対し保持される。
【００２０】
またこの状態において、切離表示部切離可能線部の切離により、主表示部又は主表示部を含む部分から切離表示部を切離し、保持部切離可能線部の切離により、保持部から切離表示部を切離することができる。
【００２１】
また前記貼付表示体は、
上記裏側シートのうち上記主表示シート部用接着部に対応する部分と上記保持シート部用接着部に対応する部分が、前記裏側シートのうち少なくとも上記切離表示シート部の裏面側に対応する部分の一部である連結部を介して連結し、
前記切離表示シート部の裏面側のうち前記連結部に対応する部分には切離表示シート部用接着部が形成されておらず、
前記連結部は、前記裏側シートのうち前記切離表示シート部用接着部に対応する部分に対し、分離されているか又は分離可能であり、
前記裏側シートのうち前記主表示シート部用接着部に対応する部分と前記保持シート部用接着部に対応する部分が、前記連結部により連結されて上記表側シートから一連に剥離し得るるものとすることができる。
【００２２】
連結部は、裏側シートのうち切離表示シート部用接着部に対応する部分に対し、分離されているか又は分離可能であるから、連結部により連結された、裏側シートのうち主表示シート部用接着部に対応する部分と保持シート部用接着部に対応する部分を、表側シートから一連に剥離し得る。
【００２３】
切離表示シート部の裏面側のうち連結部に対応する部分には切離表示シート部用接着部が形成されていないので、裏側シートのうち主表示シート部用接着部に対応する部分と保持シート部用接着部に対応する部分が、連結部に連結されて表側シートから一連に剥離されることにより連結部が取り除かれた状態においても、切離表示部が対象物に接着することが防がれる。
【発明の効果】
【００２４】
本発明によれば、表側シートと裏側シートからなる構造により、対象物に貼り付ける主表示部と、主表示部から分離し得る切離表示部と、切離表示部から分離し得る脱離表示部を備える貼付表示体を提供することができる。
【発明を実施するための最良の形態】
【００２５】
本発明の実施の形態を、図面を参照しつつ説明する。
【００２６】
図面は何れも本発明の実施の形態の一例としての貼付表示体に関するものであって、図１は貼付表示体の平面図、図２は横方向模式断面図、図３は接着層の平面図、図４は裏側シートの平面図、図５は貼付状態の平面図、図６は配送済票を切離して配送済通知宛名を分離した状態の説明図、図７は別の貼付表示体の平面図である。
【００２７】
貼付表示体１０は、表側シート１２の裏側面と裏側シート１４の表側面が接着層を介して貼り合わされ、全体として横長長方形シート状をなす。表側シート１２及び裏側シート１４は、それぞれ例えば各種の紙製又は合成樹脂製等とすることができ、特に限定されない。なお、形状は横長長方形に限るものではない。
【００２８】
この貼付表示体１０は、図１における左端から、配送宛先票Ａ（主表示部）、配送済票Ｂ（切離表示部）、保持部Ｃ、引受控票Ｄ、及び送主控票Ｅが、この順に隣接連結してなる。配送宛先票Ａ、配送済票Ｂ、引受控票Ｄ、及び送主控票Ｅは、それぞれ縦長長方形状をなし、保持部Ｃは縦方向の帯状をなすが、形状はこれらに限るものではない。
【００２９】
表側シート１２は、配送宛先票Ａを構成する配送宛先シート部Ａ１と、配送済票Ｂを構成する配送済シート部Ｂ１と、保持部Ｃを構成する保持シート部Ｃ１と、引受控票Ｄを構成する引受控シート部Ｄ１、及び送主控票Ｅを構成する送主控えシート部Ｅ１が、この順に隣接連結してなる。配送済シート部Ｂ１の縦方向手前側には、横長長方形状の脱離表示部Ｂ１ａが形成されている。なお脱離表示部は複数形成されていてもよい。
【００３０】
配送宛先シート部Ａ１の裏側面全部（対象物に接着させる目的を損なわなければ全部でなくてもよい）に、配送対象物に接着させるための配送宛先シート部用接着部Ａ２（接着層）を備える。
【００３１】
配送済シート部Ｂ１の裏側面のうち、前記脱離表示部Ｂ１ａの裏側面及びその脱離表示部Ｂ１ａの周縁部（全周縁であることを要しない）を含み、縦方向における奥側の３分の１程度並びに配送宛先シート部Ａ１及び保持シート部Ｃ１に隣接する両側部（これらの部分［この場合は門形部分］が、連結部Ｌを構成する）を含まない方形部分Ｓに、配送済シート部用接着部Ｂ２（接着層）が形成されている。
【００３２】
保持シート部Ｃ１、引受控シート部Ｄ１、及び送主控えシート部Ｅ１のそれぞれ裏側面全部（必ずしも全部であることを要しない）に、保持シート部用接着部Ｃ２（接着層）、引受控シート部用接着部Ｄ２（接着層）、及び送主控えシート部用接着部Ｅ２（接着層）が形成されている。
【００３３】
裏側シート１４は、表側シート１２の裏側面全面を覆うものである。このような構成が製造上好都合な点があるが、必ずしもこれに限るものではなく、例えば、引受控シート部用接着部Ｄ２及び送主控えシート部用接着部Ｅ２を形成せず、裏側シート１４にそれらに対応する部分を備えないものとすることもできる。
【００３４】
裏側シート１４の表側面のうち、配送宛先シート部用接着部Ａ２、脱離表示部Ｂ１ａ、及び保持シート部用接着部Ｃ２に対応する部分に、それぞれ離型部Ｒが形成され、配送済シート部用接着部Ｂ２のうち脱離表示部Ｂ１ａを除く部分、引受控シート部用接着部Ｄ２、及び送主控えシート部用接着部Ｅ２に対応する部分には、それぞれの接着部が接着する被接着部Ｇが形成されている。なお、被接着部Ｇを離型部に構成することもできる。また、裏側シート１４の表側面のうち配送済シート部Ｂ１に対応する部分全面を離型部に構成することもできる。このように裏側シートの表側面のうち一定部分（この場合は保持シート部用接着部Ｃ２に対応する部分の右辺よりも左側の全部）には全幅（或いは全長）にわたり離型部を形成し、残部には離型部を形成しないものとすることにより、製造効率を高めることができ、複数連続状態で製造し、ミシン目等により切断して使用する場合は一層高効率化することができる。
【００３５】
裏側シート１４のうち、配送済シート部用接着部Ｂ２に対応する部分である方形部分Ｓとそれ以外の部分とは、切離線Ｐにより切離されている。これにより、裏側シート１４のうち配送宛先シート部用接着部Ａ２及び保持シート部用接着部Ｃ２に対応する部分は、配送済シート部用接着部Ｂ２に対応する部分に対し分離されている。これを分離でなく分離可能とすることもできるが、後述のような裏側シート１４の剥離を容易にする上で分離されていることが好ましい。
【００３６】
配送宛先シート部Ａ１に対応する部分と保持シート部Ｃ１に対応する部分は、配送済シート部Ｂ１に対応する部分のうち連結部Ｌにより連結されている。配送済シート部Ｂ１の裏側面のうち連結部Ｌに対応する部分には配送済シート部用接着部Ｂ２は形成されていない。なお、裏側シート１４のうち配送宛先シート部Ａ１に対応する部分と保持シート部Ｃ１に対応する部分を連結部Ｌにより連結しないことも可能である。
【００３７】
表側シート１２のうち脱離表示部Ｂ１ａと配送済シート部Ｂ１の他の部分との間は、切離線Ｐにより切離されている。
【００３８】
配送宛先票Ａと配送済票Ｂの間、配送済票Ｂと保持部Ｃの間、保持部Ｃと引受控票Ｄの間、及び引受控票Ｄと送主控票Ｅの間には、それぞれミシン目により切離可能な配送済票切離可能線Ｂｐ、保持部切離可能線Ｃｐ、引受控票切離可能線Ｄｐ、及び送主控票切離可能線Ｅｐが形成されている。なお、配送済票切離可能線Ｂｐ及び保持部切離可能線Ｃｐを、表側シート１２にのみ設け、裏側シート１４には設けないようにすることもできる。
【００３９】
この貼付表示体１０は次のように使用することができる。
【００４０】
配送宛先票Ａ、配送済票Ｂ、保持部Ｃ、引受控票Ｄ、及び送主控票Ｅの表側面に必要事項を記載した状態で、裏側シート１４のうち配送宛先シート部Ａ１及び保持シート部Ｃ１に対応する部分を剥離させる。裏側シート１４のうち配送宛先シート部Ａ１及び保持シート部Ｃ１に対応する部分は、配送済シート部Ｂ１に対応する部分のうち連結部Ｌにより連結されており、裏側シート１４のうち方形部分Ｓとそれ以外の部分とは切離線Ｐにより切離されているので、連結部Ｌを含めて表側シート１２から一連に容易に剥離し得る。なお、配送宛先シート部用接着部Ａ２の左端部Ａ２ａ（すなわち剥離させるべき裏側シートの端部のうち貼付表示体全体の端部に対応する表側シートの裏面側部分）に接着層を設けないことにより、その部分から裏側シート１４を剥離させ易くなる。また、引受控シート部用接着部Ｄ２の左端部Ｄ２ａ（すなわち剥離させるべき裏側シートの端部のうち貼付表示体全体の中間に位置する端部に対応する表側シートの裏面側部分）に接着層を設けず、裏側シート１４のうち左端部Ｄ２ａの右辺に対応する部分又は左端部Ｄ２ａの左右両辺の間の部分に切離線Ｐを設けることにより、その部分から裏側シート１４を剥離させ易くなる。
【００４１】
次いで、配送宛先シート部用接着部Ａ２及び保持シート部用接着部Ｃ２において、配送対象物に貼り付け、更に、送主控票切離可能線Ｅｐにおいて送主控票Ｅを切離して送主の控とし、引受控票切離可能線Ｄｐにおいて引受控票Ｄを切離して引受者の控とすることにより、貼付表示体１０は配送宛先票Ａと配送済票Ｂと保持部Ｃが連結した状態となる（図５）。
【００４２】
配送宛先票Ａと配送済票Ｂと保持部Ｃが連結した状態の貼付表示体１０を、配送済シート部用接着部Ｂ２には裏側シート１４が接着しているので、配送済票Ｂは配送対象物に接着されていないが、両側の配送宛先シート部用接着部Ａ２と保持シート部用接着部Ｃ２において安定的に配送対象物に保持される。このような安定保持のためには、主表示シート部用接着部と保持シート部用接着部は、切離表示部を挟んで対向するよう位置することが好ましい。
【００４３】
この状態で配送先に配送し、配送済票Ｂに受取人の受領印又はサイン等を受け、配送済票切離可能線Ｂｐ及び保持部切離可能線Ｃｐを切離して配送者が配送済票Ｂを持ち帰る（図６）。両側の配送宛先シート部用接着部Ａ２と保持シート部用接着部Ｃ２が配送対象物に接着した状態での配送済票切離可能線Ｂｐ及び保持部切離可能線Ｃｐの切離を容易にする上で、表側シート１２のうち、配送済票切離可能線Ｂｐ及び保持部切離可能線Ｃｐの手前側或いは奥側の端部を、ミシン目ではなく切断部Ｔとして配送済票Ｂの一端部を捲り易くすることが好ましい。
【００４４】
脱離表示部Ｂ１ａは裏側シート１４の表側面の離型部Ｒに貼着しているので、持ち帰った配送済票Ｂから、送主の住所・氏名（名称）等が記載された脱離表示部Ｂ１ａを剥離させ、配送済み連絡用の葉書その他の通信手段にそのまま貼り付けて使用することができる（図６）。
【００４５】
図７の貼付表示体１０は、図１乃至６に示す貼付表示体１０における配送宛先票Ａ、配送済票Ｂ及び保持部Ｃと同じ構成の配送宛先票Ａ、配送済票Ｂ及び保持部Ｃを有すると共に、その保持部Ｃの右側に、脱離表示部Ｂ１ａを備えないこと以外は配送済票Ｂと同じ構成の中間記録票Ｍを有し、その右側に、保持部Ｃと同じ構成の第２保持部Ｎを有する態様を示す。なお、第２保持部Ｎの右側に、同様の中間記録票Ｍ及び保持部を、更に何度でも繰り返して設けることができる。
【００４６】
この貼付表示体１０は、中間記録票Ｍと配送済票Ｂが配送対象物に接着しない状態で、配送宛先シート部用接着部、保持シート部用接着部及び第２保持部Ｎの保持シート部用接着部において配送対象物に貼り付け、中間記録票Ｍと配送済票Ｂを別個に切離することができる。
【００４７】
なお、本発明の貼付表示体１０は、２枚以上が平面的に連結した状態（例えば縦横の両方又は一方に所定数連結した状態）のものを切断して製造すること、或はミシン目等の切離可能線により分離可能な状態に製造することができる。
【００４８】
以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００４９】
【図１】貼付表示体の平面図である。
【図２】横方向模式断面図である。
【図３】接着層の平面図である。
【図４】裏側シートの平面図である。
【図５】貼付状態の平面図である。
【図６】配送済票を切離して配送済通知宛名を分離した状態の説明図である。
【図７】別の貼付表示体の平面図である。
【符号の説明】
【００５０】
１０    貼付表示体
１２    表側シート
１４    裏側シート
Ａ      配送宛先票
Ａ１    配送宛先シート部
Ａ２    配送宛先シート部用接着部
Ｂ      配送済票
Ｂ１    配送済シート部
Ｂ１ａ  脱離表示部
Ｂ２    配送済シート部用接着部
Ｂｐ    配送済票切離可能線
Ｃ      保持部
Ｃ１    保持シート部
Ｃ２    保持シート部用接着部
Ｃｐ    保持部切離可能線
Ｄ      引受控票
Ｄ１    引受控シート部
Ｄ２    引受控シート部用接着部
Ｄｐ    引受控票切離可能線
Ｅ      送主控票
Ｅ１    送主控えシート部
Ｅ２    送主控えシート部用接着部
Ｅｐ    送主控票切離可能線
Ｇ      被接着部
Ｌ      連結部
Ｍ      中間記録票
Ｎ      第２保持部
Ｐ      切離線
Ｒ      離型部
Ｓ      方形部分
Ｔ      切断部
【図１】
2006062082.tif 000003
【図２】
2006062082.tif 000004
【図３】
2006062082.tif 000005
【図４】
2006062082.tif 000006
【図５】
2006062082.tif 000007
【図６】
2006062082.tif 000008
【図７】
2006062082.tif 000009